(57)【要約】【課題】水晶発振子を一つとしても出力発振信号の発振周波数が局部発振周波数としての特性を満足でき、受信感度抑圧にも対処可能な周波数シンセサイザおよび通信装置を提供する。【解決手段】周波数切替信号ＦＳＷを受けて発振周波数をシフト可能で、基準周波数を有する基準発振信号Ｓｒｅｆ  を生成する温度補償型水晶発振器（ＴＣＸＯ）１０５１を有する周波数シンセサイザ部１０５と、ＴＣＸＯ１０５１により出力された基準発振信号Ｓｒｅｆ  が動作クロックとして供給され、感度抑圧が発生するか否かの判定結果に応じて、周波数切替信号ＦＳＷをＴＣＸＯ１０５１に出力して発振周波数をシフトさせ、周波数切替信号の出力に伴う局部発振信号の周波数のずれを補正するために、周波数シンセサイザ部１０５の設定データを再設定する制御部１０７とを設ける。【選択図】      図３
2005051428.tif 000002
【特許請求の範囲】
【請求項１】
発振周波数が周波数切替信号に応じてシフト可能で、所定周波数の基準発振信号を出力する第１の発振器と、
上記第１の発振器による基準発振信号の周波数を第１の設定データに基づく周波数に変換する第１の周波数変換手段と、
出力発振信号の周波数を第２の設定データに基づく周波数に変換する第２の周波数変換手段と、
上記第１の周波数変換手段により周波数が変換された上記基準発振信号と上記第２の周波数変換手段により周波数が変換された上記出力発振信号との位相を比較し、比較結果に応じた位相差信号を出力する位相比較手段と、
上記位相比較手段による位相差信号に応じて、上記基準発振信号の位相に位相同期させた上記出力発振信号を生成し、上記第２の周波数変換手段に出力する第２の発振器と、
上記第１の発振器により出力された上記基準発振信号が動作クロックとして供給され、所定の条件に応じて上記周波数切替信号を上記第１の発振器に出力して発振周波数をシフトさせ、当該周波数切替信号の出力に伴う上記出力発振信号の周波数のずれを補正するために、上記第１の設定データおよび第２の設定データのうちの少なくとも一方のデータを再設定する制御手段と
を有することを特徴とする周波数シンセサイザ。
【請求項２】
上記制御手段の上記基準発振信号の入力側に、当該制御手段側で発生するノイズの逆流を防止するバッファ部が接続されている
ことを特徴とする請求項１に記載の周波数シンセサイザ。
【請求項３】
上記制御手段における周波数切替信号の出力判定のための所定の条件は、上記出力発振信号に基づいて処理される処理信号の周波数と上記第１の周波数変換手段における上記第１の設定データに基づく周波数変換処理にて発生する高調波の周波数および上記制御手段が発生する高調波の周波数とが略一致するか否かであり、
上記制御手段は、上記処理信号の周波数と上記高調波の周波数とが略一致すると判定したときに、上記周波数切替信号を上記第１の発振器に出力し、上記基準発振信号の周波数をシフトさせる
ことを特徴とする請求項１または２に記載の周波数シンセサイザ。
【請求項４】
上記制御手段は、上記基準発振信号の周波数をシフトさせた状態に維持する場合には、当該シフト時の周波数を所定の条件の一つとして記憶しておく
ことを特徴とする請求項３に記載の周波数シンセサイザ。
【請求項５】
上記制御手段は、上記処理信号に対する処理が終了した後、上記基準発振信号の周波数をシフトさせる前の周波数に戻すように上記周波数切替信号を上記第１の発振器に出力する
ことを特徴とする請求項３に記載の周波数シンセサイザ。
【請求項６】
上記第１の発振器は、温度センサを有する温度補償型発振器であり、
上記制御手段は、温度補正データを加味した上記周波数切替信号を上記第１の発振器に出力する
ことを特徴とする請求項１から５のいずれかに記載の周波数シンセサイザ。
【請求項７】
所定の周波数の受信信号と局部発振信号とを混合して、中間周波信号を生成する混合器と、
発振周波数が周波数切替信号に応じてシフト可能で、所定周波数の基準発振信号を出力する第１の発振器と、
上記第１の発振器による基準発振信号の周波数を第１の設定データに基づく周波数に変換する第１の周波数変換手段と、
局部発振信号の周波数を第２の設定データに基づく周波数に変換する第２の周波数変換手段と、
上記第１の周波数変換手段により周波数が変換された上記基準発振信号と上記第２の周波数変換手段により周波数が変換された上記局部発振信号との位相を比較し、比較結果に応じた位相差信号を出力する位相比較手段と、
上記位相比較手段による位相差信号に応じて、上記基準発振信号の位相に位相同期させた上記局部発振信号を生成し、上記混合器および第２の周波数変換手段に出力する第２の発振器と、
上記第１の発振器により出力された上記基準発振信号が動作クロックとして供給され、所定の条件に応じて上記周波数切替信号を上記第１の発振器に出力して発振周波数をシフトさせ、当該周波数切替信号の出力に伴う上記局部発振信号の周波数のずれを補正するために、上記第１の設定データおよび第２の設定データのうちの少なくとも一方のデータを再設定する制御手段と
を有することを特徴とする通信装置。
【発明の詳細な説明】
【０００１】
【発明の属する技術分野】
本発明は、たとえば携帯電話機のような無線通信装置に適用される周波数シンセサイザおよび通信装置に関するものである。
【０００２】
【従来の技術】
携帯電話機等の無線通信装置においては、周波数シンセサイザを有し、周波数シンセサイザにて発生させた局部発振信号と所定周波数の受信無線信号とを混合器（ミキサ）において混合して中間周波信号を生成し復調するスーパーヘテロダイン方式を採用している。
【０００３】
図１１は、従来の周波数シンセサイザの構成例を示すブロック図である。
この周波数シンセサイザ１は、図１１に示すように、周波数シンセサイザ部２、制御部３、および記憶部４を有している。
【０００４】
周波数シンセサイザ部２は、基準周波数Ｆｔの基準発振信号Ｓ２１を出力する温度補償型水晶発振器（ＴＣＸＯ）２１、ＰＬＬＩＣ（Ｐｈａｓｅ  Ｌｏｃｋｅｄ  Ｌｏｏｐ  Ｉｎｔｅｇｒａｔｅｄ  Ｃｉｒｃｕｉｔ）部２２、ループフィルタ２３、電圧制御発振器（ＶＣＯ：Ｖｏｌｔａｇｅ  Ｃｏｎｔｒｏｌｌｅｄ  Ｏｓｃｉｌａｔｏｒ）２４により構成されている。
【０００５】
ＰＬＬＩＣ部２２は、ＴＣＸＯ２１による基準発振信号Ｓ２１の発振周波数Ｆｔを整数分周および小数分周して周波数ｆｒの基準発振信号Ｓ２２１を生成するリファレンスカウンタ部２２１、ＶＣＯ２４の発振信号Ｓ２４の発振周波数Ｆｖｃｏ  を整数分周および小数分周して周波数ｆｐの分周信号Ｓ２２２を生成するプログラムカウンタ部２２２、リファレンスカウンタ部２２１とプログラムカウンタ部２２２に対して分周比を設定するコントローラ２２３、周波数ｆｒの基準発振信号Ｓ２２１とＶＣＯ２４の出力発振信号（局部発振信号）Ｓ２４の周波数Ｆｖｃｏ  を分周した周波数ｆｐの分周信号Ｓ２２２との位相を比較し、位相差信号Ｓ２２４をループフィルタ２３に出力する位相比較器２２４を有している。
ループフィルタ２３は、位相差信号Ｓ２２４に応じた制御信号Ｓ２３をＶＣＯ２４に出力する。
ＶＣＯ２４は、ループフィルタ２３による制御信号Ｓ２３に応じて、基準発振信号Ｓ２１の位相に位相同期させた出力発振信号Ｓ２４を生成し、ＰＬＬＩＣ部２２のプログラムカウンタ２２２および図示しない混合器等に出力する。
【０００６】
制御部３は、周波数シンセサイザ部２のＰＬＬＩＣ部２２におけるコントローラ２２３に、リファレンスカウンタ部２２１とプログラムカウンタ部２２２に対して設定するための分周比を供給する。
また、制御部３は、駆動用クロック生成部として水晶発振子３１、負荷容量３２，３３、印加電圧により負荷容量を可変することができる可変容量ダイオード３４およびデジタル／アナログ（Ｄ／Ａ）変換器３５を有している。
【０００７】
携帯電話機等に適用される図１１の周波数シンセサイザ１は、上述したように、中央演算処理部（ＣＰＵ）としての制御部３に使用するクロック用水晶発振子３１と、高周波回路部の周波数シンセサイザ部２用の基準周波数を有する基準発振信号Ｓ２１を発振する温度補償型水晶発振器（ＴＣＸＯ）２１の少なくとも２つの水晶発振子を有している。
【０００８】
このように複数の水晶発振子を有することは、基板上への実装面積、コストが増大し、また、水晶発振子間の干渉により生ずる複雑なスプリアスによる障害を防止する等の目的から、ＣＰＵクロック用水晶発振子とＴＣＸＯを、ＳＡＷ（弾性表面波）発振器等からなる一つの基準発振器で構成した周波数シンセサイザを含む送受信機が提案されている（たとえば、特許文献１参照）。
【０００９】
【特許文献１】
特開平１０−３２２２３９号公報
【００１０】
【発明が解決しようとする課題】
しかしながら、特許文献１に記載した周波数シンセサイザでは、基準発振器はＣＰＵクロック用のものと同等のものであり、この処理回路用クロックをＰＬＬに供給することから、処理回路のノイズがクロックに重畳しＰＬＬ特性が劣化してしまい、局部発振周波数としての特性が満足できなくなる可能性があった。
また、ＣＰＵクロック用基準発振器を用いた場合、携帯電話機等の制御部（ＣＰＵやカメラの駆動回路等のクロック供給を受けているデバイスを示す）で発生するクロック周波数の高調波や制御部内で、分周されたクロック周波数の高調波が、受信周波数と被った際に発生する感度劣化（感度抑圧）を回避することが困難である。
【００１１】
本発明は、かかる事情に鑑みてなされたものであり、その目的は、水晶発振子を一つとして省スペース化、低コスト化を図れることはもとより、出力発振信号の発振周波数が局部発振周波数としての特性を満足でき、また受信感度抑圧にも対処可能な周波数シンセサイザおよび通信装置を提供することにある。
【００１２】
【課題を解決するための手段】
上記目的を達成するため、本発明の第１の観点の周波数シンセサイザは、発振周波数が周波数切替信号に応じてシフト可能で、所定周波数の基準発振信号を出力する第１の発振器と、上記第１の発振器による基準発振信号の周波数を第１の設定データに基づく周波数に変換する第１の周波数変換手段と、出力発振信号の周波数を第２の設定データに基づく周波数に変換する第２の周波数変換手段と、上記第１の周波数変換手段により周波数が変換された上記基準発振信号と上記第２の周波数変換手段により周波数が変換された上記出力発振信号との位相を比較し、比較結果に応じた位相差信号を出力する位相比較手段と、上記位相比較手段による位相差信号に応じて、上記基準発振信号の位相に位相同期させた上記出力発振信号を生成し、上記第２の周波数変換手段に出力する第２の発振器と、上記第１の発振器により出力された上記基準発振信号が動作クロックとして供給され、所定の条件に応じて上記周波数切替信号を上記第１の発振器に出力して発振周波数をシフトさせ、当該周波数切替信号の出力に伴う上記出力発振信号の周波数のずれを補正するために、上記第１の設定データおよび第２の設定データのうちの少なくとも一方のデータを再設定する制御手段とを有する。
【００１３】
本発明の第２の観点の通信装置は、所定の周波数の受信信号と局部発振信号とを混合して、中間周波信号を生成する混合器と、発振周波数が周波数切替信号に応じてシフト可能で、所定周波数の基準発振信号を出力する第１の発振器と、上記第１の発振器による基準発振信号の周波数を第１の設定データに基づく周波数に変換する第１の周波数変換手段と、局部発振信号の周波数を第２の設定データに基づく周波数に変換する第２の周波数変換手段と、上記第１の周波数変換手段により周波数が変換された上記基準発振信号と上記第２の周波数変換手段により周波数が変換された上記局部発振信号との位相を比較し、比較結果に応じた位相差信号を出力する位相比較手段と、上記位相比較手段による位相差信号に応じて、上記基準発振信号の位相に位相同期させた上記局部発振信号を生成し、上記混合器および第２の周波数変換手段に出力する第２の発振器と、上記第１の発振器により出力された上記基準発振信号が動作クロックとして供給され、所定の条件に応じて上記周波数切替信号を上記第１の発振器に出力して発振周波数をシフトさせ、当該周波数切替信号の出力に伴う上記局部発振信号の周波数のずれを補正するために、上記第１の設定データおよび第２の設定データのうちの少なくとも一方のデータを再設定する制御手段とを有する。
【００１４】
好適には、上記制御手段の上記基準発振信号の入力側に、当該制御手段側で発生するノイズの逆流を防止するバッファ部が接続されている。
【００１５】
また、好適には、上記制御手段における周波数切替信号の出力判定のための所定の条件は、上記受信信号の周波数と上記第１の周波数変換手段における上記第１の設定データに基づく周波数変換処理にて発生する高調波の周波数および上記制御手段ら発生する高調波の周波数とが略一致するか否かであり、上記制御手段は、上記受信信号の周波数と上記高調波の周波数とが略一致すると判定したときに、上記周波数切替信号を上記第１の発振器に出力し、上記基準発振信号の周波数をシフトさせる。
【００１６】
好適には、上記制御手段は、上記基準発振信号の周波数をシフトさせた状態に維持する場合には、当該シフト時の周波数を所定の条件の一つとして記憶しておく。
【００１７】
好適には、上記制御手段は、上記受信信号に対する処理が終了した後、上記基準発振信号の周波数をシフトさせる前の周波数に戻すように上記周波数切替信号を上記第１の発振器に出力する。
【００１８】
好適には、上記第１の発振器は、温度センサを有する温度補償型発振器であり、上記制御手段は、温度補正データを加味した上記周波数切替信号を上記第１の発振器に出力する。
【００１９】
【発明の実施の形態】
以下、本発明の実施形態を添付図面に関連付けて説明する。
【００２０】
第１実施形態
図１は、本発明に係る周波数シンセサイザを採用した通信装置（携帯電話機）の第１の実施形態を示すシステム構成図である。
【００２１】
本通信装置１００は、図１に示すように、送受信アンテナ１０１、切替部（スイッチもしくはデュープレクサ（ＤＵＰ））１０２、受信部１０３、送信部１０４、周波数シンセサイザ部１０５、バッファ部１０６、制御部１０７、記憶部１０８、表示部１０９、キー部１１０、マイクロフォン（マイク）部１１１、スピーカ部１１２、およびカメラ部１１３を有している。
【００２２】
送受信アンテナ１０１は、たとえば図示しない基地局から送信された、たとえば周波数１４９７．６ＭＨｚの無線信号ＲＦを受信し、また、基地局に対して無線信号を送信する。
【００２３】
切替部１０２は、送受信アンテナ１０１でアンテナから受信した受信信号を受信部１０３に供給し、送信部１０４からの送信信号を送受信アンテナ１０１に供給する。
【００２４】
受信部１０３は、アンテナ１０１から受信され、切替部１０２を通して供給された周波数ＦＲＳ＝１４９７．６ＭＨｚの受信信号ＲＳを、周波数シンセサイザ部１０５による周波数Ｆｖｃｏ１＝１６２７．６ＭＨｚの第１局部発振信号ＬＯＳ１、および、周波数Ｆｖｃｏ２＝１２９．６ＭＨｚの受信用第２局部発振信号ＬＯＳ２を用いて制御部１０７にて処理できる周波数４００ｋＨｚにまで変換し、デジタル信号Ｓ１０３として制御部１０７に供給する。
【００２５】
図２は、受信部１０３の構成例を示す回路図である。
この受信部１０３は、図２に示すように、低雑音増幅器（ＬＮＡ：Ｌｏｗ  Ｎｏｉｓｅ  Ａｍｐｌｉｆｉｅｒ）１０３１、第１混合器１０３２、バンドパスフィルタ（ＢＰＦ）１０３３、第２混合器１０３４、ＢＰＦ１０３５、および比較器１０３６により構成されている。
【００２６】
このような構成を有する受信部１０３においては、切替部１０２による周波数１４９７．６ＭＨｚの受信信号ＲＳは、ＬＮＡ１０３１を通して第１混合器１０３２に供給される。
第１混合器１０３２において、受信信号ＲＳは、周波数シンセサイザ部１０５の第１ＶＣＯによる周波数１６２７．６ＭＨｚの第１局部発振信号ＬＯＳ１と混合処理（ミキシング）され、ＢＰＦ１０３３を通して周波数ＦＩＦ１  ＝１３０ＭＨｚの第１中間周波信号Ｓ１０３３が抽出され、第２混合器１０３４に入力される。
第２混合器１０３４において、第１中間周波信号Ｓ１０３３は、周波数シンセサイザ部１０５の第２ＶＣＯによる周波数１２９．６ＭＨｚの第２局部発振信号ＬＯＳ２と混合処理（ミキシング）され、ＢＰＦ１０３５を通して周波数ＦＩＦ２＝４００ｋＨｚの第２中間周波信号Ｓ１０３５が抽出される。そして、ＢＰＦ１０３５の出力に基づいて比較器１０３６のデータが信号Ｓ１０３としてベースバンド処理部の機能を有する制御部１０７に供給される。
【００２７】
送信部１０４は、たとえば変調器、ＢＰＦ、前置増幅器、電力増幅器等により構成され、制御部１０７より供給されるベースバンド信号をもとに周波数シンセサイザ部１０５から供給される送信用第２局部発振信号ＬＯＳ３、第１局部発振信号ＬＯＳ１を用いて所定周波数の送信信号を生成し、切替部１０２を通して送受信アンテナ１０１により送信する。
【００２８】
周波数シンセサイザ部１０５は、制御部１０７による周波数切替信号ＦＳＷを受けて発振周波数をシフト可能な温度補償型水晶発振器（ＴＣＸＯ）を有し、この温度補償型水晶発振器（ＴＣＸＯ）のよる基準周波数Ｆｔ＝１４．４ＭＨｚを有する基準発振信号Ｓｒｅｆ  を生成し、制御部１０７の動作クロックＣＬＫとして、バッファ部１０６を通して制御部１０７に供給する。
また、周波数シンセサイザ１０５は、制御部１０７による第１の設定データ（Ａ１値）および第２の設定データ（Ｍ１値）に基づいて、基準発振信号Ｓｒｅｆ  に位相同期させた周波数Ｆｖｃｏ１＝１６２７．６ＭＨｚの第１局部発振信号ＬＯＳ１を生成して受信部１０３および送信部１０４に供給し、制御部１０７による第１の設定データ（Ａ２値）および第２の設定データ（Ｍ２値）に基づいて、基準発振信号Ｓｒｅｆ  に位相同期させた周波数Ｆｖｃｏ２＝１２９．６ＭＨｚの受信用第２局部発振信号ＬＯＳ２を生成して受信部１０３に供給し、また、基準発振信号Ｓｒｅｆ  に位相同期させた所定周波数の送信用第２局部発振信号ＬＯＳ３を送信部１０４に供給する。
【００２９】
上述したように、本実施形態では、周波数シンセサイザ部１０５で使用する温度補償型水晶発振器（ＴＣＸＯ）からの出力基準発振信号Ｓｒｅｆ  を、動作クロックＣＬＫとしてバッファ部１０６を経由して制御部１０７に供給している。
バッファ部１０６は、動作クロックＣＬＫを周波数シンセサイザ１０５から制御部１０７に供給する際に、制御部１０７のノイズが周波数シンセサイザ部１０５に流れ込まないようにしている（逆流しないようにしている）。これにより、制御部（ＣＰＵ）用水晶発振子を削除することを可能としている。
【００３０】
図３は、周波数シンセサイザ部１０５、バッファ部１０６、制御部１０７、および記憶部１０８を主構成要素とする本第１の実施形態に係る周波数シンセサイザの具体的な構成例を示す回路図である。図３においては、周波数シンセサイザ部１０５の受信系回路の具体的な構成を示している。
【００３１】
周波数シンセサイザ部１０５は、第１の発振器としての温度補償型水晶発振器（ＴＣＸＯ）１０５１、第１ＰＬＬＩＣ部１０５２、第１ループフィルタ１０５３、第１の発振器としての第１ＶＣＯ１０５４、第２ＰＬＬＩＣ部１０５５、第２ループフィルタ１０５６、第２の発振器としての第２ＶＣＯ１０５７を有する。
【００３２】
温度補償型水晶発振器（ＴＣＸＯ）１０５１は、制御部１０７による、たとえばデジタル信号である周波数切替信号ＦＳＷを受けて周波数をシフト可能で、基本的に基準周波数Ｆｔ＝１４．４ＭＨｚを有する基準発振信号Ｓｒｅｆ  を生成し、第１ＰＬＬＩＣ部１０５２、第２ＰＬＬＩＣ部１０５５、およびバッファ部１０６に供給する。
温度補償型水晶発振器（ＴＣＸＯ）１０５１は、周波数切替信号ＦＳＷを受けて周波数をシフトする際には、発振周波数は連続的にシフトする。たとえば温度補償型水晶発振器（ＴＣＸＯ）１０５１は、周波数切替信号ＦＳＷを受けて周波数をシフトする際には、基準周波数Ｆｔ＝１４．４ＭＨｚから数十から数百ｐｐｍシフトした周波数の基準発振信号を出力する。
すなわち、本実施形態では、携帯電話機の制御部（ＣＰＵやカメラの駆動回路等のクロック供給を受けているデバイスを示す）で発生するクロック周波数の高調波や制御部１０７内で、分周されたクロック周波数の高調波が、受信周波数と被った際に発生する感度劣化（感度抑圧）を回避するために、２周波数において温度補償した周波数を供給可能な温度補償型水晶発振器（ＴＣＸＯ）１０５１により構成している。
【００３３】
第１ＰＬＬＩＣ部１０５２は、ＴＣＸＯ１０５１による基準発振信号Ｓｒｅｆ  の発振周波数Ｆｔを整数分周および小数分周して周波数ｆｒ１の基準発振信号Ｓｒｅｆ１を生成する第１の周波数変換部としてのリファレンスカウンタ部１０５２１と、第１ＶＣＯ１０５４の第１局部発振信号ＬＯＳ１の発振周波数Ｆｖｃｏ１を整数分周および小数分周して周波数ｆｐ１の分周信号ＤＬＯＳ１を生成する第２の周波数変換部としてのプログラムカウンタ部１０５２２と、制御部１０７による第１および第２の設定データに基づいてリファレンスカウンタ部１０５２１とプログラムカウンタ部１０５２２に対して分周比を設定するコントローラ１０５２３と、周波数ｆｒ１の基準発振信号Ｓｒｅｆ１と第１ＶＣＯ１０５４の第１局部発振信号ＬＯＳ１の周波数Ｆｖｃｏ１を分周した周波数ｆｐ１の分周信号ＤＬＯＳ１との位相を比較し、位相差信号Ｓ１０５２を第１ループフィルタ１０５３に出力する位相比較手段としての位相比較器１０５２４とを有している。
第１ループフィルタ１０５３は、位相比較器１０５２４による位相差信号Ｓ１０５２に応じた制御信号Ｓ１０５３を第１ＶＣＯ１０５４に出力する。
第１ＶＣＯ１０５４は、第１ループフィルタ１０５３による制御信号Ｓ１０５３に応じて、基準発振信号Ｓｒｅｆ  の位相に位相同期させた第１局部発振信号（出力発振信号）ＬＯＳ１を生成し、ＰＬＬＩＣ部１０５２のプログラムカウンタ１０５２２、図２に示す受信部１０３の第１混合器１０３２、および送信部１０４に出力する。
【００３４】
第２ＰＬＬＩＣ部１０５５は、ＴＣＸＯ１０５１による基準発振信号Ｓｒｅｆ  の発振周波数Ｆｔを整数分周および小数分周して周波数ｆｒ２の基準発振信号Ｓｒｅｆ２を生成する第１の周波数変換部としてのリファレンスカウンタ部１０５５１と、第２ＶＣＯ１０５７の第２局部発振信号ＬＯＳ２の発振周波数Ｆｖｃｏ２を整数分周および小数分周して周波数ｆｐ２の分周信号ＤＬＯＳ２を生成する第２の周波数変換部としてのプログラムカウンタ部１０５５２と、制御部１０７による第１および第２の設定データに基づいてリファレンスカウンタ部１０５５１とプログラムカウンタ部１０５５２に対して分周比を設定するコントローラ１０５５３と、周波数ｆｒ２の基準発振信号Ｓｒｅｆ２と第２ＶＣＯ１０５７の第２局部発振信号ＬＯＳ２の周波数Ｆｖｃｏ２を分周した周波数ｆｐ２の分周信号ＤＬＯＳ２との位相を比較し、位相差信号Ｓ１０５５を第２ループフィルタ１０５６に出力する位相比較手段としての位相比較器１０５５４とを有している。
第２ループフィルタ１０５６は、位相比較器１０５５４による位相差信号Ｓ１０５５に応じた制御信号Ｓ１０５５を第２ＶＣＯ１０５７に出力する。
第２ＶＣＯ１０５７は、第２ループフィルタ１０５６による制御信号Ｓ１０５６に応じて、基準発振信号Ｓｒｅｆ  の位相に位相同期させた第２局部発振信号（出力発振信号）ＬＯＳ２を生成し、ＰＬＬＩＣ部１０５５のプログラムカウンタ１０５５２、および図２に示す受信部１０３の第２混合器１０３４に出力する。
【００３５】
制御部１０７は、周波数シンセサイザ部１０５のＶＣＸＯ１０５１の基準発振信号Ｓｒｅｆ  がバッファ部１０６を通して動作クロックＣＬＫとして供給され、所定の条件に応じて、周波数切替信号ＦＳＷをＶＣＸＯ１０５１に出力して、基準発振周波数１４．４ＭＨｚで発振させるか、発振周波数をシフトさせるかを制御する。
制御部１０７は、周波数切替信号ＦＳＷをＶＣＸＯ１０５１に出力して基準周波数で発振させる場合に、第１ＰＬＬＩＣ部１０５２のリファレンスカウンタ部１０５２１とプログラムカウンタ部１０５２２に対する分周比を第１および第２の設定データとしてコントローラ１０５２３に設定するとともに、第２ＰＬＬＩＣ部１０５５のリファレンスカウンタ部１０５５１とプログラムカウンタ部１０５５２に対する分周比を第１および第２の設定データとしてコントローラ１０５５３に設定する。
制御部１０７は、周波数切替信号ＦＳＷをＶＣＸＯ１０５１に出力して発振周波数をシフトさせる場合には、シフトさせる周波数切替信号ＦＳＷの出力に伴う第１および第２の局部発振信号ＬＯＳ１，ＬＯＳ２の周波数のずれを補正するために、コントローラ１０５２３，１０５５３に設定した第１の設定データまたは／および第２の設定データを再設定する。
【００３６】
制御部１０７における周波数切替信号ＦＳＷの出力判定のための所定の条件は、受信信号ＲＳの周波数ＦＲＳとＴＣＸＯ１０５１自体の高調波、もしくは制御部１０７で発生するクロック周波数の高調波や、制御部１０７内で分周されたクロック周波数の高調波の周波数とが略一致するか否かである。すなわち、分周されたクロック周波数の高調波が、受信周波数と被った際に発生する感度劣化（感度抑圧）が発生するか否かである。
なお、受信信号ＲＳの周波数ＦＲＳと、第１の周波数変換手段としてのリファレンスカウンタ部１０５２１，１０５５１における第１の設定データに基づく周波数分周（変換）処理にて発生する高調波の周波数とが略一致するか否かを、周波数切替信号ＦＳＷの出力判定のための所定の条件としても良い。
制御部１０７は、受信信号の周波数と高調波の周波数とが略一致すると判定したとき、すなわち、感度劣化（感度抑圧）が発生すると判定したときには、周波数切替信号ＦＳＷをＶＣＸＯ１０５１に出力し、基準発振信号Ｓｒｅｆ  の周波数Ｆｔ（１４．４ＭＨｚ）から数十から数百ｐｐｍシフトさせる。
【００３７】
記憶部１０８には、周波数シフト前もしくはシフト後における感度抑圧周波数が記憶されており、制御部１０７は、受信周波数と感度抑圧周波数とが一致すると判定した場合に、周波数切替信号ＦＳＷをＴＣＸＯ１０５１に供給する。
また、制御部１０７は、基準発振信号の周波数をシフトさせた状態に維持する場合には、シフト時の周波数を所定の条件の一つとして記憶部１０８に記憶しておく。
また、制御部１０８は、受信信号に対する復調処理等が終了した後、基準発振信号Ｓｒｅｆ  の周波数をシフトさせる前の周波数に戻すように周波数切替信号ＦＳＷをＴＣＸＯ１０５１に出力する。
【００３８】
以下に、局部発振信号ＬＯＳ１（またはＬＯＳ２）の周波数Ｆｖｃｏ１（またはＦｖｃｏ２）の算出、感度抑圧が発生した場合における各周波数およびデータ設定例、および感度抑圧を回避するために、基準発振信号Ｓｒｅｆ  基準周波数Ｆｔのシフトしたときの各周波数データ設定例について、図４（Ａ），（Ｂ）および図５（Ａ），（Ｂ）に関連付けて説明する。
図４（Ａ），（Ｂ）は感度抑圧が発生した場合における各周波数およびデータ設定例を示し、図５（Ａ），（Ｂ）は感度抑圧を回避する場合における各周波数およびデータ設定例を示す。
【００３９】
ここで、目的とする局部発振信号の発振周波数ＦｖｃｏはＴＣＸＯ１０５１と各カウンタ１０５２１，１０５２２（１０５５１，１０５５２）の分周比により算出され、次の式１として表される。
【００４０】
【数１】
2005051428.tif 000003
【００４１】
プログラムカウンタ１０５２２，１０５５２の分周値Ｍは、整数部ｍと小数部ｎ／２ｘ  により構成され、制御部１０７によりコントローラに対し第２の設定データとしてｍ，ｎを設定することにより分周比は決定する。
同様に、リファレンスカウンタ１０５２１，１０５５１の分周値Ａは、整数部ａと小数部ｂ／２ｙ  により構成され、制御部１０７によりコントローラに対し第１の設定データとしてａ，ｂを設定することにより分周比は決定する。なお、ｘ，ｙは分周する解像度を決定するものであり、ＰＬＬの仕様により決まる。
【００４２】
したがって、ＴＣＸＯ１０５１の基準周波数Ｓｒｅｆ  がシフトすると、式１より局部発振信号の周波数Ｆｖｃｏもシフトしてしまう。
本実施形態では、ＴＣＸＯ１０５１の周波数を切替えた際に発生する周波数Ｆｖｃｏのズレを補正するために、上述したように、周波数切替信号ＦＳＷを送出後に制御部１０７からＰＬＬＩＣ部１０５２，１０５５に対して、Ｍ値およびＡ値もしくはいずれか一方を再設定するように制御する。
これにより、局部発振信号の周波数Ｆｖｃｏは目的の周波数を出力することが可能となる。
【００４３】
図４（Ａ），（Ｂ）は感度抑圧が発生した場合における各周波数およびデータ設定例を示している。
【００４４】
図４（Ａ），（Ｂ）において、受信信号ＲＳの受信周波数１４９７．６ＭＨｚであった場合に、ＴＣＸＯ１０５１の基準（クロック）周波数Ｆｔ＝１４．４ＭＨｚの１０４倍が受信周波数と同一となり、感度抑圧が発生する。
このとき、周波数シンセサイザは、第１局部発振周波数と受信用第２局発振周波数により受信周波数を変換する構成をとっている（ダブルスーパーヘテロダイン方式）。
受信周波数（１４９７．６ＭＨｚ）を第１局部発振周波数（１６２７．６ＭＨｚ）により第１中間周波数（１３０ＭＨｚ）に変換し、受信用第２局発振周波数（１２９．６ＭＨＺ）により第２中間周波数（４００ＫＨｚ）を生成する。
【００４５】
図４（Ａ），（Ｂ）では、第１局部発振周波数生成用として、Ａ１分周（Ａ１＝４、ａ１＝４、ｂ１＝０）により比較周波数ｆｒ１＝３．６ＭＨｚを生成し、Ｍ１分周（Ｍ１＝４５２．１１１１１１１、ｍ１＝４５２、ｎ１＝４６６０３４、ｘ１＝２２）をＰＬＬＩＣ部１０５２に設定することで１６２７．６ＭＨｚを生成している。
また、受信用第２局部発振周波数生成用として、Ａ２分周（Ａ２＝４８、ａ２＝４８、ｂ２＝０）により比較周波数ｆｒ２＝０．３００ＭＨｚを生成し、Ｍ２分周（Ｍ２＝４３２、ｍ２＝４３２、ｎ２＝０、ｘ２＝２０）をＰＬＬＩＣ部１０５５に設定することで１２９．６ＭＨｚを生成している。
しかしながら、上述したようにこの周波数構成では、感度抑圧が発生してしまう。
【００４６】
図５（Ａ），（Ｂ）は感度抑圧を回避する場合における各周波数およびデータ設定例を示す。具体的には、ＴＣＸＯ１０５１の基準周波数Ｆｔを＋５０ｐｐｍシフト時の各局部発振周波数およびデータ設定値を示す。
ちなみに、ＴＣＸＯ１０５１の基準周波数Ｆｔのシフト量は、通信システムの受信帯域幅、制御部、ＰＬＬＩＣ部のクロック動作仕様範囲により決定するものである。
【００４７】
図５（Ａ），（Ｂ）に示すように、受信周波数１４９７．６ＭＨｚに対して感度抑圧周波数は１４９７．６７９ＭＨｚまでシフトしたため、感度抑圧を回避できることがわかる。
また、Ａ１／Ａ２分周比は変更しなくても、Ｍ１／Ｍ２分周比を変更することにより、各局部発振周波数は適切な値となる。
なお、各分周に必要な設定は、システムやＩＣ仕様により、変更されるものである。また、周波数シフトを実施していない時、および周波数シフト時の各設定データを記憶部１０８に事前に記憶しておき、分周比を設定する際に、制御部１０７より読み取り、ＰＬＬＩＣ部１０５２，１０５５のコントローラ１０５２３，１０５５３に設定することも可能である。
【００４８】
再び図１に関連付けて、本発明の係る通信装置の説明を行う。
また、制御部１０７は、送受信を変復調し、希望の周波数を設定し、記憶部１０８、表示部１０９、キー部１１０、マイク部１１１、スピーカ部１１２、およびカメラ部１１３を制御する。
【００４９】
記憶部１０８は、たとえばＥＥＰＲＯＭを含んで構成され、上述したように、周波数シフト前もしくはシフト前後における感度抑圧周波数が記憶される。
また、記憶部１０８には、通話やメールの送受信のための制御プログラム、メッセージデータ、名前および電話番号が登録されたアドレス帳等も記憶される。
【００５０】
表示部１０９は、図示しないケース本体の上部側に配置された液晶表示装置（ＬＣＤ）等の表示デバイスを有し、通話機能のために入力した電話番号や各種メッセージ、閲覧モード時に受信したページデータ、あるいはオフラインモード時にメモリ１２６から読み出された過去に閲覧したページデータ等を表示する。
また、表示部１０９は、たとえば最上段の１行分は、モードの種類、電波の強さ、電池残量等を表示するガイド表示行として用いられる。
【００５１】
キー部１１０は、図示しないケース本体の下部側に配置され、終了（終話）／電源キー、開始（発呼）キー、上下左右キー、ファンクションキー、数字０〜９やア（あ）行〜ワ（わ）行文字に対応した複数（１０個）のテンキー、＊キー、＃キー、文字キー、クリアキー等を有する。
マイク部１１１は、通話機能のために音声入力を行い、スピーカ部１１２は、音声出力を行う。
カメラ部１３は、キー部１１０の指示により撮像を行い、撮像画像を表示部１０９に表示させると共に、そのデータを記憶部１０８に記憶する。
【００５２】
次に、上記構成による動作を、周波数シンセサイザの制御部１０７の動作を中心に、図６のフローチャートに関連付けて説明する。
【００５３】
制御部１０７は、ステップＳＴ１において、記憶部１０８に記憶されている感度抑圧周波数を確認する。
次に、ステップＳＴ２において、確認した感度抑圧周波数と受信する周波数とが一致、すなわち、感度抑圧が発生するかどうかの判定を行う。
ステップＳＴ２において、感度抑圧が発生すると判定した場合はステップＳＴ３の処理に進み、制御部１０７から周波数シンセサイザ部１０５のＴＣＸＯ１０５１に対して周波数切替信号ＦＳＷを送出する。
ＴＣＸＯ１０５１は、事前に設定されている周波数シフト幅（数十〜数百ｐｐｍ）で周波数をシフトした基準発振信号Ｓｒｅｆ  を出力する。
次に、ステップＳＴ４において、ＴＣＸＯ１０５１の周波数がシフトしたために発生する第１および第２のＶＣＯ１０５４，１０５７による第１および第２の局部発振信号ＬＯＳ１，ＬＯＳ２の発振周波数のズレを補正するために、ＰＬＬＩＣ部１０５２，１０５５のコントローラ１０５２３，１０５５３に対して、式１から計算される分周比データを送出する。
次に、ステップＳＴ５において、感度抑圧が発生しない状態に遷移することで受信周波数の処理を行う。
また、ステップＳＴ６において、シフトされたＴＣＸＯ１０５１に周波数を切替える（元に戻す）か、そのままシフトした状態とするかの判定を行う。
ステップＳＴ６において切り替えると判定した場合は、ステップＳＴ７において、制御部１０７から周波数切替信号ＦＳＷをＴＣＸＯ１０５１に送出し、処理を終了する。
ステップＳＴ６において、切り替えないと判定した場合は、そのままＴＣＸＯ１０５１の周波数をシフトした状態で処理を終了する。
【００５４】
ここで、ＴＣＸＯ１０５１の周波数をシフトした状態で処理を終了した場合でも、記憶部１０８にシフト時の感度抑圧周波数を記憶しておくことにより、同一のフローにより感度抑圧を回避することができる。
なお、ステップＳＴ６において、どちらか一方の判定に固定しておくことも可能である。
【００５５】
以上説明したように、本第１の実施形態によれば、発振周波数が周波数切替信号ＦＳＷに応じてシフト可能で、所定周波数の基準発振信号Ｓｒｅｆ  を出力する温度補償型水晶発振器（ＴＣＸＯ）１０５１と、基準発振信号の周波数を第１の設定データＡに基づく周波数に変換するリファレンスカウンタ１０５２１（１０５５１）と、局部発振信号ＬＯＳ１（ＬＯＳ２）の周波数ＦＶＣＯ１（ＦＶＣＯ２）を第２の設定データＭに基づく周波数に変換するプログラムカウンタ１０５２２（１０５５２）と、リファレンスカウンタ１０５２１（１０５５１）により周波数が変換された基準発振信号Ｓｒｅｆ１とプログラムカウンタ１０５２２（１０５５２）により周波数が変換された局部発振信号ＤＬＯＳ１（ＤＬＯＳ２）との位相を比較し、比較結果に応じた位相差信号Ｓ１０５２（Ｓ１０５５）を出力する位相比較器１０５２４（１０５５４）と、位相比較器１０５２４（１０５５４）による位相差信号Ｓ１０５２（Ｓ１０５５）に応じて、基準発振信号Ｓｒｅｆ  の位相に位相同期させた局部発振信号ＬＯＳ１（ＬＯＳ２）を生成し、受信部１０３、送信部１０４、プログラムカウンタ１０５２２（１０５５２）に出力するＶＣＯ１０５４（１０５７）と、ＴＣＸＯ１０５１により出力された基準発振信号Ｓｒｅｆ  が動作クロックとして供給され、感度抑圧が発生するか否かの判定結果に応じて、周波数切替信号ＦＳＷをＴＣＸＯ１０５１に出力して発振周波数をシフトさせ、周波数切替信号の出力に伴う局部発振信号の周波数のずれを補正するために、第１の設定データＡおよび第２の設定データＭのうちの少なくとも一方のデータを再設定する制御部１０７とを設けたので、以下の効果を得ることができる。
【００５６】
周波数シンセサイザで使用するＴＣＸＯ等の温度補償型水晶発振器を制御部１０７のクロックとして共有することにより、低コスト、省スペース化を達成することができることはもとより、クロックを共有しても、出力発振信号の発振周波数が局部発振周波数としての特性を満足でき、また感度抑圧を避けることが可能となる利点がある。
【００５７】
なお、本第１の実施形態においては、周波数シンセサイザ部１０５に関しては、２つの局部発振信号を生成する構成を例に説明したが、一つまたは３つ以上の局部発振信号を生成する場合には、ＰＬＬ、ループフィルタ、ＶＣＯを局部発振信号分用意すれば実現可能である。
【００５８】
第２実施形態
図７は、本第２の実施形態に係る周波数シンセサイザを示すブロック図である。
【００５９】
本第２の実施形態に係る周波数シンセサイザが上述した第１の実施形態に係る周波数シンセサイザと異なる点は、制御部１０７Ａが、周波数シンセサイザ部４Ａにおける温度補償型水晶発振器（ＴＣＸＯ）１０５１Ａの温度センサの検出結果を入力し、周波数切替信号を水晶発振器１０５１Ａに出力して基準発振信号の周波数をシフトさせあるいはそのままの周波数で発振させる場合に、温度補正データを加味した周波数切替信号ＦＳＷＴを出力するようにした点、および、水晶発振器１０５１Ａが制御部１０７によるたとえばデジタル信号である周波数切替信号ＦＳＷＴをデジタル／アナログ（Ｄ／Ａ）変換器１１４を介してアナログ信号で受けて周波数をシフト可能に構成した点にある。
なお、本第２の実施形態においては、周波数シンセサイザ部に関しては、図面の簡単化のために１つの局部発振信号を生成する構成を例に説明したが、第２の実施形態においても、第１の実施形態と同様に２つまたは３つ以上の局部発振信号を生成するように構成することも可能である。
その他の構成は、上述した第１の実施形態の構成と同様である。
【００６０】
本第２の実施形態の水晶発振器１０５１Ａは、図７に示すように、周囲温度を監視し、検出温度を信号ＴＤＴとして制御部１０７Ａに出力する温度センサ１０５１１、水晶発振子１０５１２、トランジスタやＩＣにより構成される発振回路１０５１３、印加する電圧により容量を変化させる可変容量ダイオード１０５１４、および負荷容量１０５１５により構成される。
記憶部１０８には、感度抑圧が発生する周波数が記憶されており、さらに水晶発振回路１０５１３の出力周波数が温度において一定となるための温度補正用データは、感度抑圧周波数に応じたシフト量を加味したデータとして記憶されている。
【００６１】
Ｄ／Ａ変換器１１４は、制御部１０７Ａにより読み取られた記憶部１０８の感度抑圧周波数に応じたシフト量を含む温度補正用データを加味した周波数切替信号ＦＳＷＴをデジタル信号からアナログ信号に変換し、可変容量ダイオード１０５１４に供給して水晶発振回路１０５１３の周波数制御するために配置されている。
【００６２】
水晶発振回路１０５１３は、次のように制御される。
制御部１０７Ａは、温度センサ１０５１１が測定した周囲温度データＴＤＴを読み取る。制御部１０７Ａは、読み取った温度データから、記憶部１０８に記憶されている感度抑圧周波数に応じたシフト量を含む温度補正用データ補正用データを読み出し、これに応じて補正用データを加味し、周波数をシフトさせる必要があると判定した場合には、温度補償し、感度抑圧周波数から周波数シフトさせるための周波数切替信号ＦＳＷＴを出力する。
そして、Ｄ／Ａ変換器１１４により、補正用データを加味し、感度抑圧周波数から周波数シフトさせるための周波数切替信号ＦＳＷＴを電圧値（アナログ値）に変換し、可変容量ダイオード１０５１４に印加する。この一連の制御を実施することにより、水晶発振回路１０５１３の温度補償を実現することができ、かつ、感度抑圧を回避するために、温度補償された水晶発振回路１０５１３の周波数をシフトさせる。
【００６３】
すなわち、本第２の実施形態においても、受信周波数にて感度抑圧が発生すると記憶部１０８に記憶されている場合、制御部１０７Ａにて感度抑圧を回避するために、制御用クロックとなっているＴＣＸＯの周波数を基本周波数から数十〜数百ｐｐｍシフトし、記憶部１０８には、少なくとも基本周波数から数十〜数百ｐｐｍシフトすることを決定するデータを保有しておく。
周波数シフト制御としては、記憶部１０８に記憶されている温度補正用データに対してシフト量を加味したシフト時の温度補正用データを制御部１０８もしくは記憶部１０８内に作成するか、もしくは事前にシフト時の温度補償データを記憶部１０８に記憶しておく。
なお、前述した式１における基準周波数ＦｔのシフトによるＦｖｃｏのシフトは同様に発生するため、シフト時の温度補償データを参照後、制御部１０７ＡからＰＬＬＩＣ部１０５２のコントローラ１０５２３に対して、Ｍ値およびＡ値もしくはいずれか一方を再設定するように制御する。これにより、Ｆｖｃｏは目的の周波数を出力することが可能となる。
【００６４】
次に、上記構成による動作を、周波数シンセサイザの制御部１０７Ａの動作を中心に、図８のフローチャートに関連付けて説明する。
【００６５】
制御部１０７Ａは、ステップＳＴ１１において、記憶部１０８に記憶されている感度抑圧周波数を確認する。
次に、ステップＳＴ１２において、確認した感度抑圧周波数と受信する周波数とが一致、すなわち、感度抑圧が発生するかどうか判定を行い、感度抑圧が発生すると判定した場合はＳＴ１３に進む。
ステップＳＴ１３において、記憶部１０８に事前に設定されている周波数シフト幅（数十〜数百ｐｐｍ）による温度補償データを参照し、制御部１０７Ａから周波数シンセサイザ部１０５のＴＣＸＯ１０５１に対して周波数切替信号ＦＳＷＴを送出する。周波数切替信号ＦＳＷＴは、Ｄ／Ａ変換器１１４を経由して水晶発振器１０５１の可変容量ダイオード１０５１４に印加されてその容量を制御し、発振回路１０５１３の発振周波数のシフトを制御する。
次に、ステップＳＴ１４において、ＴＣＸＯ１０５１の周波数がシフトしたために発生する第１および第２のＶＣＯ１０５４，１０５７による第１および第２の局部発振信号ＬＯＳ１，ＬＯＳ２の発振周波数のズレを補正するために、ＰＬＬＩＣ１０５２，１０５５のコントローラ１０５２３，１０５５３に対して、式１から計算される分周比データを送出する。
次に、ステップＳＴ１５において、感度抑圧が発生しない状態に遷移することで受信周波数の処理を行う。
また、ステップＳＴ１６において、シフトされたＴＣＸＯ１０５１に周波数を切替える（元に戻す）か、そのままシフトした状態とするかの判定を行う。
ステップＳＴ１６において切り替えると判定した場合は、ステップＳＴ１７において、記憶部にある切替える前に参照していた温度補正データにて水晶発振回路部を制御するために、制御部１０７Ａから周波数切替信号ＦＳＷＴをＴＣＸＯ１０５１に送出し、処理を終了する。
ステップＳＴ１６において、切り替えないと判定した場合は、そのままＴＣＸＯ１０５１の周波数をシフトした状態で処理を終了する。
【００６６】
ここで、ＴＣＸＯ１０５１Ａの周波数をシフトした状態で処理を終了した場合でも、記憶部１０８にシフト時の感度抑圧周波数を記憶しておくことにより、同一のフローにより感度抑圧を回避することができる。
なお、ステップＳＴ１６において、どちらか一方の判定に固定しておくことも可能である。
【００６７】
本第２の実施形態によれば、上述した第１の実施形態の効果と同様の効果を得られることはもとより、出力発振信号の発振周波数が局部発振周波数としての特性をより精度高くすることができる利点がある。
【００６８】
第３実施形態
図９は、本第３の実施形態に係る周波数シンセサイザの構成例を示すブロック図である。
【００６９】
本第３の実施形態に係る周波数シンセサイザが上述した第１の実施形態に係る周波数シンセサイザと異なる点は、制御部１０７Ｂに対するクロックＣＬＫをＴＣＸＯ１０５１から出力された基準発振信号Ｓｒｅｆ  をバッファ部１０６を一旦介した後、可変分周器１１５に供給するように構成し、制御部１０７Ｂによる周波数切替信号ＦＳＷをＴＣＸＯ１０５１ではなく、可変分周器１１５に供給するようにしたことにある。
【００７０】
可変分周器１１５は、周波数切替信号ＦＳＷ１１５  により分周比を可変することが可能である。周波数切替信号ＦＳＷとは、可変分周器１１５があらかじめ２つ以上の周波数を分周できるように設定されている場合、その設定を選択できるようにするものであり、もしくは可変分周器１１５に対して任意の分周比データを入力し、分周比を可変することが可能である。
また、本構成では可変分周器１１５によりクロック周波数を可変するため、感度抑圧発生時にＴＣＸＯ周波数をシフトする必要が無い。
可変分周器１１５は、整数および小数分周することが可能である構成とする。なお、バッファ部１０６は、分周器１１５の出力後に配置することも可能である。
【００７１】
次の式２は、可変分周器１１５の出力周波数Ｆｃｌｋを示している。
【００７２】
【数２】
Ｆｃｌｋ＝Ｆｔ／Ｎ                                    …（２）
【００７３】
ここで、Ｎは可変分周器１１５の分周比を示しており、このＮ値（整数および少数分周可能）を可変させることにより出力周波数Ｆｃｌｋをシフトさせるものである。
【００７４】
周波数を切替える際にクロックが途絶えることは制御部１０７Ｂの誤動作を招くため、避ける必要がある。連続的に切り換えるためにも、入力されたクロック周波数の立上りもしくは立下りをトリガとしてデータを設定（周波数切替信号入力）、周波数の立下りもしくは立上りをトリガとして分周を実行する。
【００７５】
また、制御信号により制御部用クロックのみを可変可能な分周器を設けることによっても対処可能である。
【００７６】
本第３の実施形態によれば、制御部は感度抑圧を考慮した周波数切替信号の設定を行う必要がないことから、制御部の負荷が軽くなるという利点がある。
【００７７】
第４実施形態
図１０は、本第４の実施形態に係る周波数シンセサイザの構成例を示すブロック図である。
【００７８】
本第４の実施形態に係る周波数シンセサイザが上述した第２の実施形態に係る周波数シンセサイザと異なる点は、制御部１０７Ｃに対するクロックＣＬＫをＴＣＸＯ１０５１から出力された基準発振信号Ｓｒｅｆ  をバッファ部１０６を一旦介した後、可変分周器１１５に供給するように構成し、制御部１０７Ｃによる周波数切替信号ＦＳＷをＴＣＸＯ１０５１ではなく、可変分周器１１５に供給するようにしたことにある。
【００７９】
第３の実施形態と同様に、可変分周器１１５は、周波数切替信号ＦＳＷ１１５  により分周比を可変することが可能である。周波数切替信号ＦＳＷとは、可変分周器１１５があらかじめ２つ以上の周波数を分周できるように設定されている場合、その設定を選択できるようにするものであり、もしくは可変分周器１１５に対して任意の分周比データを入力し、分周比を可変することが可能である。
また、本構成では可変分周器１１５によりクロック周波数を可変するため、感度抑圧発生時にＴＣＸＯ周波数をシフトする必要が無い。
可変分周器１１５は、整数および小数分周することが可能である構成とする。なお、バッファ部１０６は、分周器１１５の出力後に配置することも可能である。
【００８０】
本第４の実施形態によれば、制御部は温度補正のみを考慮し、感度抑圧を考慮した周波数切替信号の設定を行う必要がないことから、制御部の負荷が軽くなるという利点がある。
【００８１】
【発明の効果】
以上説明したように、本発明によれば、周波数シンセサイザに使用する基準周波数とＣＰＵに使用するクロック周波数を共有することにより、コストダウン、省スペース化が達成できることはもとより、クロックを共有しても、出力発振信号の発振周波数が局部発振周波数としての特性を満足でき、また感度抑圧を避けることが可能となる利点がある。
【図面の簡単な説明】
【図１】本発明に係る周波数シンセサイザを採用した通信装置の第１の実施形態を示すシステム構成図である。
【図２】図１の受信部の構成例を示す回路図である。
【図３】第１の実施形態に係る周波数シンセサイザの構成例を示すブロック図である。
【図４】感度抑圧が発生した場合における各周波数およびデータ設定例を示す図である。
【図５】感度抑圧を回避する場合における各周波数およびデータ設定例を示す図である。
【図６】第１の実施形態に係る周波数シンセサイザの動作を制御部の動作を中心に説明するためのフローチャートである。
【図７】本第２の実施形態に係る周波数シンセサイザの構成例を示すブロック図である。
【図８】第１の実施形態に係る周波数シンセサイザの動作を制御部の動作を中心に説明するためのフローチャートである。
【図９】本第３の実施形態に係る周波数シンセサイザの構成例を示すブロック図である。
【図１０】本第４の実施形態に係る周波数シンセサイザの構成例を示すブロック図である。
【図１１】従来の周波数シンセサイザの構成例を示すブロック図である。
【符号の説明】
１００…通信装置、１０１…送受信アンテナ、１０２…切替部、１０３…受信部、１０３１…低雑音増幅器（ＬＮＡ）、１０３２…第１混合器、１０３３…バンドパスフィルタ（ＢＰＦ）、１０３４…第２混合器、１０３５…ＢＰＦ、１０３６…比較器、１０４…送信部、１０５，１０５Ａ…周波数シンセサイザ部、１０５１，１０５１Ａ…温度補償型水晶発振器（ＴＣＸＯ）、１０５１１…温度センサ、１０５１２…水晶発振子、１０５１３…発振回路、１０５１４…可変容量ダイオード、１０５１５…負荷容量、１０５２…第１ＰＬＬＩＣ部、１０５２１…リファレンスカウンタ部、１０５２２…プログラムカウンタ部、１０５２３…コントローラ、１０５２４…位相比較器、１０５３…第１ループフィルタ、１０５４…第１ＶＣＯ、１０５５…第２ＰＬＬＩＣ部、１０５５１…リファレンスカウンタ部、１０５５２…プログラムカウンタ部、１０５５３…コントローラ、１０５５４…位相比較器、１０５６…第２ループフィルタ、１０５７…第２ＶＣＯ１０５７、１０６…バッファ部、１０７，１０７Ａ，１０７Ｂ，１０７Ｃ…制御部、１０８…記憶部、１０９…表示部、１１０…キー部、１１１…マイクロフォン（マイク）部、１１２…スピーカ部、１１３…カメラ部、１１４…デジタル／アナログ変換器、１１５…可変分周器。
【図１】
2005051428.tif 000004
【図２】
2005051428.tif 000005
【図３】
2005051428.tif 000006
【図４】
2005051428.tif 000007
【図５】
2005051428.tif 000008
【図６】
2005051428.tif 000009
【図７】
2005051428.tif 000010
【図８】
2005051428.tif 000011
【図９】
2005051428.tif 000012
【図１０】
2005051428.tif 000013
【図１１】
2005051428.tif 000014